(57)【要約】      （修正有）【課題】お内裏様とお雛様に加えて三人官女や屏風、雪洞、茶道具等の様々な飾り物を飾ることが出来て豪華な雛人形セットであって、飾る場所、収める場所に広い空間を必要せず、又、飾り付け及び収納の作業が容易であり、更に、収納時に人形や飾り物の損傷を防止する収納式雛人形セットを提供する。【解決手段】内裏雛人形と三人官女人形と飾り物を飾る雛人形セット１であって、上面平板の蓋３１及び上部開口を有する箱体３２から構成される箱３と、下段板、上段板及び背面板が二枚の側板間に固定された二段構成の棚４を備え、蓋の上面、棚の下段板上面及び上段板上面には上記人形や飾り物が載置される平面を備え、箱体は内裏雛人形、三人官女人形２３、飾り物及び棚が収納される収納部を備えることを特徴とする収納式雛人形セット。【選択図】図１
0003103290.tif 000002
【実用新案登録請求の範囲】
【請求項１】
内裏雛人形と三人官女人形と飾り物を飾る雛人形セットであって、上面平板の蓋及び上部開口を有する箱体から構成される箱と、下段板、上段板及び背面板が二枚の側板間に固定された二段構成の棚を備え、蓋の上面、棚の下段板上面及び上段板上面には上記人形や飾り物が載置される平面を備え、箱体は内裏雛人形、三人官女人形、飾り物及び棚が収納される収納部を備えることを特徴とする収納式雛人形セット。
【請求項２】
棚は箱の前面に設置され、少なくとも蓋の上面上に内裏雛人形を載置し、棚の上段板上に三人官女人形を載置し、棚の下段板上に飾り物を載置することを特徴とする請求項１に記載の収納式雛人形セット。
【請求項３】
棚の横幅、奥行き及び高さは箱体の収納部の横幅、奥行き及び高さ以下に形成されていることを特徴とする請求項１又は請求項２に記載の収納式雛人形セット。
【請求項４】
棚の下段板と上段板の間に内裏雛人形及び三人官女人形が収納される空間を備えることを特徴とする請求項１乃至３のうち何れか１項に記載の収納式雛人形セット。
【考案の詳細な説明】
【技術分野】
【０００１】
本考案は、収納式雛人形セットに関する。詳しくは、不使用時にはお内裏様、お雛様、三人官女、屏風や雪洞等の飾り物及び飾り棚の一部を収納し、使用時には飾り棚の一部を構成する箱を備える収納式雛人形セットに関する。
【背景技術】
【０００２】
古来より日本では上巳の節句には女子の健康を願い、雛人形を飾る習慣が受け継がれている。そして、現在でも雛人形としてお内裏様、お雛様から構成されるものや、更に三人官女、或いは更に五人囃子、屏風や雪洞等の飾り物を更に備えた豪華なものまで様々な形態で提供されている。そして、子の為、孫のために豪華な雛人形セットを望むのは親又は祖父母として当然のことである。
【０００３】
しかし、豪華なもの程その飾る場所、収める場所に広い空間を必要とし、現在の日本の住宅事情を鑑みた場合には、飾り、収めるためのそのような広い空間を確保することは困難となっている。
【０００４】
そこで、雛人形を飾る台として蓋を有する函体を用いると共に、該函体を雛人形を収納する箱としても利用する雛人形セットが提案されている（例えば、特許文献１参照。）。
【０００５】
しかし、この従来技術では雛人形や飾り物を飾るスペースが函体の蓋の上面のみに限定されるので、複数段としてお内裏様とお雛様に加えて三人官女や屏風や雪洞以外の茶道具等の飾り物を飾ることが出来ず、豪華な雛飾りとは出来なかった。
【０００６】
又、従来の雛人形セットはひな壇、お内裏様、お雛様、三人官女等のお人形及び屏風や雪洞等の飾り物を別個の箱に収納して別々に収めるために、いざ飾ろうとした時に、総ての構成品を探して揃えることが容易ではなく、飾り付けの作業が煩雑となっていた。更に人形や飾り物を収納する箱は厚紙製が多く、撓みや破損しやすいので、収納した人形や飾り物が破損することが多々あった。
【０００７】
【特許文献１】登録実用新案公報第３０４９７１３号
【考案の開示】
【考案が解決しようとする課題】
【０００８】
そこで、本考案は上記従来技術の欠点を解決し、お内裏様とお雛様に加えて三人官女や屏風、雪洞、茶道具等の様々な飾り物を飾ることが出来て豪華な雛人形セットであって、飾る場所、収める場所に広い空間を必要せず、又、飾り付け及び収納の作業が容易であり、更に、収納時に人形や飾り物の損傷を防止する収納式雛人形セットを提供することを目的とする。
【課題を解決するための手段】
【０００９】
上記課題を解決するための第一の手段は、内裏雛人形と三人官女人形と飾り物を飾る雛人形セットであって、上面平板の蓋及び上部開口を有する箱体から構成される箱と、下段板、上段板及び背面板が二枚の側板間に固定された二段構成の棚を備え、蓋の上面、棚の下段板上面及び上段板上面には上記人形や飾り物が載置される平面を備え、箱体は内裏雛人形、三人官女人形、飾り物及び棚が収納される収納部を備えることを特徴とする収納式雛人形セットである。
【００１０】
又、第二の手段は、第一の手段において、棚は箱の前面に設置され、少なくとも蓋の上面上に内裏雛人形を載置し、棚の上段板上に三人官女人形を載置し、棚の下段板上に飾り物を載置することを特徴とする収納式雛人形セットである。
【００１１】
又、第三の手段は、第一又は第二の手段において、棚の横幅、奥行き及び高さは箱体の収納部の横幅、奥行き及び高さ以下に形成されていることを特徴とする収納式雛人形セットである。
【００１２】
又、第四の手段は、第一乃至第二の手段のうち何れかの一の手段において、棚の下段板と上段板の間に内裏雛人形及び三人官女人形が収納される空間を備えることを特徴とする収納式雛人形セットである。
【考案の効果】
【００１３】
本願考案によれば、お内裏様とお雛様に加えて三人官女や屏風、雪洞、茶道具等の様々な飾り物を飾ることが出来る豪華な雛人形セットであって、飾る場所、収める場所に広い空間を必要せず、狭い空間に飾ること、収納することが可能となった。又、飾り付け及び収納の作業が容易となった。更に、収納時の人形や飾り物の損傷を防止することが可能となった。
【考案を実施するための最良の形態】
【００１４】
以下本考案を図に従って詳細に説明する。収納式雛人形セット１は内裏雛人形であるお内裏様人形２１とお雛様人形２２、三体の三人官女人形２３，２３，２３の五体の人形（以下単に人形２１，２２，２３という場合がある）と、屏風２４、茶道具２５、雪洞２６等人形２１，２２，２３以外の飾り付けるをするものである飾り物と、蓋３１及び上部開口を有する箱体３２からなる箱３と、棚４を備えて構成されている。
【００１５】
お内裏様人形２１、お雛様人形２２、三体の三人官女人形２３，２３，２３や飾り物の大きさは箱３及び棚４の大きさに対応させて、人形２１，２２，２３が棚４の下段板４１と上段板４２間の空間７に収納可能な大きさに、飾り物も人形２１，２２，２３及び棚４と共に箱３に収納可能な大きさに形成している。
【００１６】
箱３は人形と飾り物一式の雛飾りを飾る際に飾り棚となり、雛飾りを収納する際には収納箱となるものであり、上面７１が平面の蓋３１と収納部３３を有する上部開口の箱体３２から構成される。
【００１７】
棚４は人形と飾り物一式の雛飾りを飾る際に飾り棚となり、雛飾りを収納する際には収納棚となるものであり、共に上面７３，７２が平面である下段板４１と上段板４２が側板４４，４４間に固定された二段構成であり、その背面には背面板４３が側板４４，４４間に固定されている。棚４の横幅、奥行き及び高さは箱体３２の収納部３３の横幅、奥行き及び高さ以下に形成されている。下段板４１、上段板４２及び背面板４３と側板４４，４４との固定は接着剤、釘、木ねじ、木組み等を用いることが出来、特に限定されないが、本実施の形態では側板４４に設けた凹部４４１に下段板４１及び上段板４２の端部を嵌合し、木組みと接着剤を併用している。
【００１８】
棚４は下段板４１の奥行きを上段板４２奥行きより長く形成し、上段板４２に比べ下段板４１が適宜幅前面に張出するように形成すること、又、上段板４２が蓋３１の上面７１より低く位置するように形成することが望ましい。棚４は各部材が一体に固定されていること、背面板４３を備えることにより、飾り付け時や収納時のゆがみ、がたつきを防止することが可能な強度を備え、又、収納作業を容易としている。
【００１９】
収納式雛人形セット１を飾る際には、箱体３２の上部開口部を蓋３１で覆い、蓋３１の平面状の上面７１にお内裏様人形２１、お雛様人形２２、屏風２４、雪洞２６等の飾り物を載置する。そして、棚４は箱３の前面に設置し、棚４の下段板４１上面７３上には茶道具２５等の飾り物を載置し、上段板４２上面７２上には三体の三人官女人形２３，２３，２３及び所望の飾り物を載置する。このように雛人形セット１は箱３の蓋３１、棚４の下段板４１及び上段板４２を飾り棚とする三段飾りとなるが、最下段即ち下段板４１は上段板４２の真下にも位置するので、最下段が従来品と比べて前面へせり出す幅が少なく、全体として奥行きを縮小することが可能となっている。
【００２０】
収納式雛人形セット１の収納時には、内箱５１にお内裏様人形２１、お雛様人形２２、三体の三人官女人形２３，２３，２３の五体の人形を、内箱５２に親王台を、内箱５３に屏風２４を、内箱５４に茶道具２５、雪洞２６等の飾り物を収納し、内箱５１，５２を棚４の下段板４１の上面７３上に載置して下段板４１と上段板４２の間の空間７に収納し、棚４と共に箱体３２の収納部３３に収納し、内箱５４を上段板４２の上面７２上に載置する。内箱５３は棚４の背面板４３と箱体３２内面の隙間に収納する。最後に箱体３２に蓋３１を被せて収納場所にしまう。
【００２１】
このように棚４の各部材が強固に一体固定され高い強度を有し、且つ収納部３３に収納可能な大きさに形成されているので、箱３内での収納棚としても用いることが可能となっており、収納作業が容易になると共に、収納時に人形や飾り物を収納した内箱５１〜５４を重ねずに収納でき、人形や飾り物の傷や損傷を防止することが出来る。尚、内箱５１〜５４を用いることは人形や飾り物等の傷や破損を防止する上で望ましいが、用いなくてもよい。
【図面の簡単な説明】
【００２２】
【図１】本考案一実施例斜視図
【図２】本考案一実施例収納時分解斜視図
【図３】本考案一実施例棚部分斜視図
【図４】本考案一実施例収納時斜視断面図
【符号の説明】
【００２３】
１    収納式雛人形セット
２１  お内裏様人形
２２  お雛様人形
２３  三人官女人形
３    箱
３１  蓋
３２  箱体
４    棚
４１  下段板
４２  上段板
４３  背面板
４４  側板
７    空間
【図１】
0003103290.tif 000003
【図２】
0003103290.tif 000004
【図３】
0003103290.tif 000005
【図４】
0003103290.tif 000006